(57)【要約】【課題】  従来の可動手摺の構造を改良してさらに製造が容易な可動手摺を提供する。【解決手段】  円筒状の外筒体１０と、外筒体１０の内部に回動可能に配置される内筒体２０と、内筒体２０を貫通する軸部材３０と、内筒体２０内に配置され、内筒体２０のいずれか一方の開口部に向かって次第に細くなるような傾斜面４１が形成され、これにより軸部材３０を中心として揺動可能に取り付けられる可動体４０と、傾斜面４１とは反対側に設けられた係合凸部４５と、そして、可動体４０を持ち上げて傾斜させると係合凸部４５との係合が解除されて可動体４０が水平方向に回動可能状態となると共に、可動体４０を水平状態に戻すと係合凹部５５が係合凸部４５と係合して固定される係合凹部５５とを備えて構成される。【選択図】  図１
2007085079.tif 000002
【特許請求の範囲】
【請求項１】
水平状態で固定された手摺を僅かに上方向に持ち上げて傾斜させることにより水平方向に回動可能となり、回動させた前記手摺を所定の位置で水平状態に戻すとその位置で固定される可動手摺において、
壁面等に固定されるベース部材を備えた略円筒状の外筒体と、
前記外筒体の内部に回動可能に配置される内筒体と、
前記内筒体を直径方向に貫通するように挿通される軸部材と、
前記内筒体の軸方向に挿通され、その両端の少なくとも一方側に手摺が取り付けられるようにされた可動体であって、前記内筒体のいずれか一方の開口部に向かって次第に細くなるような傾斜面が形成され、これにより前記軸部材を中心として揺動可能に取り付けられる可動体と、
前記可動体の前記傾斜面側とは反対側に設けられた係合凸部と、そして、
前記外筒体の内側面に沿って複数設けられ、前記係合凸部と係合する係合凹部であって、前記可動体を持ち上げて傾斜させると前記係合凸部との係合が解除されて当該可動体が水平方向に回動可能状態となると共に、前記可動体を水平状態に戻すと前記係合凹部が前記係合凸部と係合して固定される係合凹部と、
を備えて構成されたことを特徴とする可動手摺。
【請求項２】
請求項１に記載の可動手摺において、
前記係合凹部は前記外筒体の内部に装着される円盤状の係合板に設けられていることを特徴とする可動手摺。
【請求項３】
請求項２に記載の可動手摺において、
前記係合板は、前記外筒体の内部への取り付け位置が変更可能とされていることを特徴とする可動手摺。
【請求項４】
請求項１〜３のいずれか１項に記載の可動手摺において、
前記外筒体と前記内筒体との間に滑り材を介在させたことを特徴とする可動手摺。
【請求項５】
請求項１〜４のいずれか１項に記載の可動手摺において、
前記可動体は、傾斜角度を５°〜１５°に傾斜させることにより前記係合凸部と前記係合凹部との係合が解除されることを特徴とする可動手摺。
【発明の詳細な説明】
【技術分野】
【０００１】
本発明は、水平方向に可動可能な可動手摺に関し、さらに詳しくは、水平状態で固定された手摺を僅かに上方向に持ち上げて傾斜させることにより水平方向に回動可能となり、回動させた手摺を所定の位置で水平状態に戻すとその位置で固定される可動手摺に関する。
【背景技術】
【０００２】
高齢者は、浴室や・トイレ、及び移動中において転倒事故の危険性が最も高いと言われている。そのため、このような転倒事故を防止する観点から手摺が設けられることが多く、有効な転倒防止対策の１つとなっている。そして、今日では種々の手摺が開発されており、現在では一般家庭でも、浴室やトイレ内だけでなく、階段や廊下など様々な場所に手摺が設置けられている。
【０００３】
しかし、在来の住宅にあっては、建築時に手摺を設置するためのスペース等を考慮して設計されていない場合が多く、あとから手摺を設置したために浴室やトイレ内の空間が狭くなってしまったり、十分なスペースを確保することができないことから手摺の設置を断念せざるを得ない場合もあり、使用者のニーズに十分に答えているとは言えなかった。
【０００４】
そのため、手摺を可動式とし、使用時には手摺を壁面と垂直状態となるように回動させて使用し、手摺を使用しない時には手摺体を回動させて壁面に接するように平行状態にすることを可能にする手摺が開発され、狭いスペースを有効に活用するといった開発努力がなされていた。このような可動手摺が登場したことで、在来住宅においても手摺を設置する際のスペースの確保といった問題が解決されつつある。そのような可動手摺としては、例えば、実公平２−３３５８号（特許文献１）、特開平１１−１１７４８４号（特許文献２）、特開平０７−２０７８６９号（特許文献３）によって提案されている。
【０００５】
しかしながら、特許文献１〜３に開示された可動手摺には、例えば、手摺を必要とする高齢者等にとっては把手を握ってそれを前方に押しながら手摺体を回動させるという動作は必ずしも簡単ではなく、手摺体を使用者の意図する位置に固定させることが難しい等、それぞれ題点があった。そこで、本発明の発明者はそれらの問題点を解決し、可動操作が簡単であり、また、可動機構も出来る限りシンプルにすることで軽量化を図ると共に、手摺を確実に固定できる安全性の高い可動手摺を提供することを目的として特許出願を行った（特開２００４−９７４８３号（特許文献４））。
【０００６】
【特許文献１】実公平２−３３５８号公報
【特許文献２】特開平１１−１１７４８４号公報
【特許文献３】特開平０７−２０７８６９号公報
【特許文献４】特開２００４−９７４８３号公報
【発明の開示】
【発明が解決しようとする課題】
【０００７】
特許文献４に開示された可動手摺により、従来の可動手摺に比べて可動操作が簡単で、しかもシンプルな可動機構により軽量化を図ると共に、手摺を確実に固定できる安全性の高い可動手摺を提供することができた。
しかし、製造面から見ると、必ずしもその製造は簡単ではなかった。例えば、手摺材を細かい角度で固定可能としたことから係合凸部と嵌合凹部は噛み合い部分が多数設けられた歯車状となっており、それが上下に２箇所に設けられていた。実際上はそれほど微妙な回動角度が要求されることはなく、また、噛み合い部分をもう少し粗にすれば手摺材を固定したときの強度もアップする。
また、製造コストが下がれば一般家庭でも気軽に設置することができるので多くの高齢者の転倒事故の防止や介護者の負担を軽減することができる。
【０００８】
そこで、本発明は、かかる問題点に鑑みなされたもので、構造がシンプルでありながら安全性が高く、しかも手摺を確実に回動・固定することできる可動手摺を提供することを目的とすると共に、従来の可動手摺の構造をさらに改良を行なうことによって容易に製造が可能でさらに手摺を固定した際の強度をさらに強くすることが可能な可動手摺を提供することを目的とする。これによりコストダウンが図られ、多くの家庭で利用することが可能となる。
【課題を解決するための手段】
【０００９】
上記課題を解決するために請求項１に記載の発明は、水平状態で固定された手摺を僅かに上方向に持ち上げて傾斜させることにより水平方向に回動可能となり、回動させた手摺を所定の位置で水平状態に戻すとその位置で固定される可動手摺において、壁面等に固定されるベース部材を備えた略円筒状の外筒体と、外筒体の内部に回動可能に配置される内筒体と、内筒体を直径方向に貫通するように挿通される軸部材と、内筒体の軸方向に挿通され、その両端の少なくとも一方側に手摺が取り付けられるようにされた可動体であって、内筒体のいずれか一方の開口部に向かって次第に細くなるような傾斜面が形成され、これにより軸部材を中心として揺動可能に取り付けられる可動体と、可動体の傾斜面側とは反対側に設けられた係合凸部と、そして、外筒体の内側面に沿って複数設けられ、係合凸部と係合する係合凹部であって、可動体を持ち上げて傾斜させると係合凸部との係合が解除されて当該可動体が水平方向に回動可能状態となると共に、可動体を水平状態に戻すと係合凹部が係合凸部と係合して固定される係合凹部とを備えて構成されたことを特徴とする。
【００１０】
請求項１に記載の発明によれば、手摺材が水平方向の状態では、係合凸部と係合凹部が係合することによってしっかりと固定される。そして、手摺を僅かに上方向に傾斜させると、係合凸部と係合凹部との係合が解除され、手摺が水平方向に自由に回動可能となる。そして、使用者は所定の位置で手摺を水平状態に戻すと係合凸部と係合凹部が係合し、その位置でしっかり固定される。かかる手摺は、例えば、トイレや浴室などの壁面に取り付けることに適している。
【００１１】
上記課題を解決するために請求項２に記載の発明は、請求項１に記載の可動手摺において、係合凹部は外筒体の内部に装着される円盤状の係合板に設けられていることを特徴とする。
【００１２】
上記課題を解決するために請求項３記載の発明は、請求項２に記載の可動手摺において、係合板は、外筒体の内部への取り付け位置が変更可能されていることを特徴とする。
【００１３】
上記課題を解決するために請求項４記載の発明は、請求項１〜３のいずれか１項に記載の可動手摺において、外筒体と内筒体との間に滑り材を介在させたことを特徴とする。
【００１４】
上記課題を解決するために請求項５記載の発明は、請求項１〜４のいずれか１項に記載の可動手摺において、可動体は、傾斜角度を５°〜１５°に傾斜させることにより係合凸部と係合凹部との係合が解除されることを特徴とする。
【発明の効果】
【００１５】
以上のように、本発明に係る可動手摺によれば、従来の可動手摺に比べて製造を容易にしたので、製造コストを抑えることが可能となり、一般家庭を含む様々な場所に気軽に設置することができ、高齢者の転倒事故の防止や介護者の負担を軽減することができるという効果がある。
【００１６】
また、本発明に係る可動手摺によれば、構造がシンプルなので故障も少なく安全性が高く、しかも手摺を簡単操作で手摺を可動させることができるので高齢者等でも確実に回動・固定させることできるという効果がある。
【発明を実施するための最良の形態】
【００１７】
以下、本発明に係る可動手摺の一実施形態について図面を参照しつつ説明する。図１は本発明に係る可動手摺の一実施形態の斜視図、図２は図１に示す可動手摺が固定状態にある場合を示す横断面図、図３は図１に示す可動手摺が可動状態にある場合を示す横断面図、図４は図１に示す可動手摺の平面図、図５は図１に示す可動手摺の正面断面図である。
【００１８】
初めに、図示された可動手摺１は、概略として、壁面Ｗなどに固定されるベース部材１１を備えた略円筒状の外筒体１０と、外筒体１０の内部に回動可能に配置される内筒体２０と、内筒体２０を直径方向に貫通するように挿通される軸部材３０と、内筒体２０の軸方向に挿通され、その両端の少なくとも一方側に手摺が取り付けられるようにされた可動体４０と、可動体４０に設けられた係合凸部４５と、そして、外筒体１０の内側面に係合凸部４５と係合するように設けられた係合凹部５５と、を備えて構成されている。
【００１９】
図１に示すように、外筒体１０は、中央に中空部を有する略円筒形状をなし、その外周面には平板状の支持プレート１３が設けられ、この支持プレート１３の反対側にベース部材１１が設けられて形成されている。外筒体１０及び支持プレート１３を含むベース部材１１は、例えば、金属製材料により形成され、これらは、例えば、溶接により一体に形成されている。
【００２０】
ベース部材１１には、図示しないネジ部材等の固定部材によって壁面Ｗ固定するための孔部１１ａ、１１ａが複数設けられている。尚、ベース部材１１を壁面Ｗに固定する際に、ネジ等の固定部材の代わりに接着剤を用いて固定すること可能であり、その場合には、ベース部材１１に孔部１１ａ、１１ａを設けなくてもよい。
【００２１】
外筒体１０の内部には内筒体２０が内装され、自由に回動可能とされている。本実施形態においては、外筒体１０と内筒体２０との間に滑り材６０を介在させており、これによって外筒体１０と内筒体２０との相対的回動運動が円滑に行われるようになっている。滑り材６０は内筒体２０の外周面に接する面、すなわち滑り材６０の外周面の摩擦抵抗を少なくすることによって実現される。例えば、滑り材６０を合税樹脂によって形成してもよく、滑り材６０の外周面に潤滑剤を介在させることも可能である。尚、内筒体２０も、外筒体１０と同様に、金属性素材により形成されている。
【００２２】
外筒体１０内に内装された内筒体２０の上部側には押さえプレート２５が嵌合され、一方、下部側には円盤状の係合板５０が嵌合されており、この押さえプレート２５と係合板５０によって内筒体２０が外筒体１０から脱落するのを防止している。
【００２３】
内筒体２０には、図２に示すように、内筒体２０の円形状の断面を直径方向に貫通するようにして軸部材３０が挿通されている。
【００２４】
内筒体２０には、可動体４０が内筒体２０の円形状断面の中心を通る軸方向に沿って挿通されている。そして、可動体４０の両端には、９０°に折り曲げられた屈曲部３ａ、３ａを備えた手摺取付体３、３が設けられており、この手摺取付体３、３に手摺５、５が取り付けられている。手摺取付体３、３への手摺５、５の取り付けは特に限定されるものではなく、ネジ等の締着固定部材によって取り付けることができる。本実施形態における手摺５は、図８に示すようにＵ字状の手摺とされており、このＵ字状の手摺の２つの端部がそれぞれ上下に位置する手摺取付体３、３の端部に取り付けられている。もちろん、このような形状の手摺に限定されるものではなく、例えば、２つの手摺取付体３、３のち、いずれか一方に直線状の手摺を取り付けることももちろん可能である。
【００２５】
可動体４０の側面は、図２に示すように、壁面Ｗ側とは反対側が内筒体２０の下部側の開口部方向に向かってその幅サイズが次第に細く形成されており、その結果、可動体４０の壁面Ｗ側とは反対側の側面側は傾斜面４１となっている。これにより、可動体４０は軸部材３０を中心として揺動可能になっている。すなわち、下部側へ行くほど内筒体２０の内側面と可動体４０との間の隙間が大きくなった傾斜面４１とされているので、図３に示すように、手摺５を上方側に持ち上げると可動体４０は軸部材３０を中心に壁面Ｗ側に傾斜する。そして、傾斜面４１が内筒体２０の内側面に当接するとそれ以上の傾斜が阻止されてそれ以上は傾斜しない。尚。傾斜面４１は、内筒体２０のいずれか一方側の開口部に向かって次第に細くなるようにされていればよい。
【００２６】
一方、可動体４０の傾斜面４１が形成された側とは反対側の側面はそれとは異なり内筒体２０の内側面と平行な側面とされており、この側面の下部側近傍には外側に突設された係合凸部４５が形成されている。係合凸部４５は、可動体４０が鉛直状態にあるときに外筒体１０に設けられた係合凹部５５と係合して可動体４０が水平方向に回動しないように阻止する働きをする。
【００２７】
ここで、係合凹部５５は、外筒体１０の内側面に設けてもよいが、本実施形態の場合は、別部材である係合板５０に設けている。図６に係合板５０の平面図を示す。係合板５０は、外筒体１０の下部側から取り付けられ、上述したように、内筒体２０を外筒体１０の内部から脱落しないように保持する役目をしている。そして、この係合板５０には図６に示すように、係合凸部４５が嵌入される係合凹部５５が３箇所に形成されている。そして、３箇所に設けられた係合凹部５５は可動体４０が回動する円周方向で、且つ、４５°間隔で形成されている。これにより、可動体４０は水平方向に回動させ、それぞれ０°、４５°、９０°の角度固定することができるようになっている。尚、図７に示すように、係合板５０の取り付け位置は適宜変更可能とされている。
【００２８】
係合板５０は、図７に示すように、外筒体１０の内部への取り付け位置が変更可能とされている。これにより、設置場所の状況により、手摺５、５の回動方向を適宜選択することができ、取り付け場所を選ばない自由な設置が可能となる。係合板５０の外筒体１０への取り付け位置の変更は、嵌合させる位置を変えるだけで実現可能だが、例えば、係合板５０の表面に複数の取着孔５９ａを円周方向に、且つ、所定の角度で（例えば４５°間隔）で穿設しておき、所定の取着孔５９ａにピン５９を挿入することによって位置合わせを行なうようにすることもできる。
【００２９】
可動体４０は、その傾斜角度が５°〜１５°の範囲内で、さらに好ましくは６°〜８°の範囲内で傾斜させることによって係合凸部４５と係合凹部５５との係合が解除されるように構成することが好ましい。少ない傾斜角度で係合凸部４５と係合凹部５５との係合が解除されてしまうと誤動作の原因にもなり、かえって危険だからであり、一方、それよりも大きな傾斜角度を必要とすると使用勝手が悪くなるからである。
【００３０】
次に、上述した可動手摺１の動作について説明する。尚、手摺５、５は、壁面Ｗに対して垂直方向に位置している状態から説明を開始する。この場合において係合凸部４５は、図６に示した３つの係合凹部５５のうち「Ａ」の位置にあるものとする。
【００３１】
はじめに、図１、図２に示すように、壁面Ｗと垂直状態となっている手摺５、５を上方に持ち上げ、可動体４０を傾斜させる（図３の状態）。すると、可動体４０は軸部材３０を中心に傾斜して斜面４１が内筒体２０の内側面に当接する。このときの手摺５、５の傾斜角度は５°〜１５°好ましくは６°〜８°の範囲内で傾斜する。すると、係合凸部４５が係合凹部５５から離れて係合が解除され、これによって内筒体２０は外筒体１０に対して自由に回動可能な状態となる。
【００３２】
手摺５、５を上方に傾斜させた状態で手摺５、５を水平方向に回動させる。そして、例えば、手摺５、５をはじめの状態から４５°だけ回動させた後、水平状態に戻すと、係合凸部４５は「Ｂ」に位置する係合凹部５５と係合し、そこで固定される。そして、その状態から再び手摺５、５を持ち上げて可動体４０を傾斜・回動させて係合凸部４５を「Ｃ」の係合凹部５５と係合させれば手摺５、５は壁面Ｗと平行に位置することになり、再び「Ａ」の係合凹部５５と係合させれば手摺５、５は壁面Ｗと垂直状態となって元の位置に戻る。
【００３３】
このように、本発明に係る可動手摺１によれば、体の不自由な高齢者等は極めて簡単な操作で手摺５、５を回動させることができるので、安全にトイレ内での移動及び立ち上がりやしゃがみ込みができるので、転倒の危険性が低くなる。
【００３４】
また、手摺５、５を邪魔にならない位置に移動させることが出来るので、移動や動作スペースが確保でき、それにより、例え高齢者等の体の不自由な者が車椅子のままで入室し、トイレを使用することができる。介助者が必要な場合でも介助のためのスペースの確保も容易となる。
【図面の簡単な説明】
【００３５】
【図１】本発明に係る可動手摺の一実施形態の斜視図である。
【図２】図１に示す可動手摺が固定状態にある場合を示す横断面図である。
【図３】図１に示す可動手摺が可動状態にある場合を示す横断面図である。
【図４】図１に示す可動手摺の平面図である。
【図５】図１に示す可動手摺の正面断面図である。
【図６】係合板の底面図である。
【図７】係合凹部の位置を変更した状態を示す係合板の底面図である。
【図８】手摺の傾斜角度を示す一部側面図である。
【符号の説明】
【００３６】
１      可動手摺
３      手摺取付体
３ａ屈曲部
５      手摺
１０      外筒体
１１      ベース部材
１１ａ      孔部
１３      支持プレート
２０      内筒体
２５      押さえプレート
３０      軸部材
４０      可動体
４１      傾斜面
４５      係合凸部
５０      係合板
５５      係合凹部
５９      ピン
５９ａ      取着孔
６０      滑り材
【図１】
2007085079.tif 000003
【図２】
2007085079.tif 000004
【図３】
2007085079.tif 000005
【図４】
2007085079.tif 000006
【図５】
2007085079.tif 000007
【図６】
2007085079.tif 000008
【図７】
2007085079.tif 000009
【図８】
2007085079.tif 000010